(57)【要約】【課題】  位置依存型の緩衝器にあってもその取付作業を容易ならしめることである。【解決手段】  シリンダ１と、シリンダ１内に摺動自在に挿入されるピストン２と、シリンダ１内に上記ピストン２で区画した２つの圧力室と、ピストン２に連結されたロッド３とを備え、所定のストローク範囲内で減衰力を変化させる緩衝器Ｄ１において、２つの圧力室Ｒ１，Ｒ２を連通する通路１０と、通路１０の途中に設けた少なくとも通路１０を遮断する遮断ポジション２１と通路１０を開放する連通ポジション２２とを備えた切換弁２０と、ピストン変位を検出する変位検出手段３０とを備え、上記切換弁２０は、ピストン変位に基づいて切換制御されることを特徴とする。【選択図】        図１
2006161844.tif 000002
【特許請求の範囲】
【請求項１】
シリンダと、シリンダ内に摺動自在に挿入されるピストンと、シリンダ内に上記ピストンで区画した２つの圧力室と、ピストンに連結されたロッドとを備え、所定のストローク範囲内で減衰力を変化させる緩衝器において、２つの圧力室を連通する通路と、通路の途中に設けた少なくとも通路を遮断する遮断ポジションと通路を開放する連通ポジションとを備えた切換弁と、ピストン変位を検出する変位検出手段とを備え、上記切換弁は、ピストン変位に基づいて切換制御されることを特徴とする緩衝器。
【請求項２】
連通ポジションは、一方の圧力室から他方の圧力室への流れのみを許容する第１連通ポジションと、他方の圧力室から一方の圧力室への流れのみを許容する第２連通ポジションとを備えてなることを特徴とする請求項１に記載の緩衝器。
【請求項３】
２つの圧力室を連通する副通路と、副通路の途中に互いに対向する一対の逆止弁を備え、切換弁が通路の一方の圧力室側を副通路の他方の圧力室側に接続する連通ポジションと、通路の他方の圧力室側を副通路の一方の圧力室側に接続する連通ポジションと、副通路および通路を遮断する遮断ポジションを備えていることを特徴とする請求項１に記載の緩衝器。
【請求項４】
通路の途中もしくは切換弁の連通ポジションに減衰力発生要素を設けたことを特徴とする請求項１から３のいずれかに記載の緩衝器。
【発明の詳細な説明】
【技術分野】
【０００１】
この発明は、緩衝器に関し、特にピストン変位に依存した減衰特性を備えた緩衝器の改良に関する。
【背景技術】
【０００２】
一般的に緩衝器は、車両、機器、構造物に作用する振動を減衰させるものであるが、たとえば、ストロークエンドで高減衰力を発生させると緩衝器の最伸長時や最圧縮時のピストンとシリンダ端部とが干渉するときの衝撃を緩和が可能となったり、また、構造物の振動を抑制する制振装置として柱梁間に介装される場合であれば、ストローク中心では高減衰力を発生させつつ、柱や梁に蓄積される弾性エネルギーの消散を目的としてストロークエンドで低減衰力を発生させるほうが有利となったりすることもある。
【０００３】
このように、緩衝器の用途によって、緩衝器にピストン変位に依存した減衰特性をもたせることで、その用途に最適となる場合があり、このような緩衝器は種々開発されるに至っている。
【０００４】
そして、この種緩衝器は、たとえば、シリンダと、シリンダ内に摺動自在に挿入したピストンと、シリンダ内にピストンで区画した２つの圧力室と、ピストンに連結されたロッドと、作動油が２つの圧力室を交流する際に作動油に流れに対し抵抗を与える減衰バルブと、シリンダ両端側内周に軸方向に沿って設けた一対の溝と、ピストンに設けられピストンがシリンダに対し所定量変位したときに、すなわち、所定のストローク範囲で上記溝に対向するバイパスポートとを備えて構成され、上記所定のストローク範囲となると、バイパスポートが溝に対向してバイパス路が形成され、２つの圧力室をこの溝およびバイパスポートで形成されるバイパス路を介して連通するようにしている。
【０００５】
したがって、この緩衝器によれば、ピストン中立位置近傍では、減衰バルブのみを介して作動油が上記２つの圧力室を交流することなり、高減衰力を発生するが、ピストンがシリンダに対し変位してストロークエンドに近づくと、作動油は、減衰バルブのみならずバイパス路をも介して２つの圧力室を交流することになるので、緩衝器は、低減衰力を発生するようになるのである（たとえば、特許文献１参照）。
【０００６】
他方、ピストンを貫くスプールに溝を設けてバイパス路を形成するものもあり、この緩衝器では、ピストン中立位置近傍で低減衰力を発生し、ストロークエンド近傍で高減衰力を発生する（たとえば、特許文献２参照）。
【特許文献１】特開２００３−３２２１９３号公報（第４頁左欄第６行目から同第４６行目まで，図１および図３）
【特許文献２】特開２００４−１１７３３号公報（第５頁第６行目から同第１０行目まで，図１）
【発明の開示】
【発明が解決しようとする課題】
【０００７】
しかしながら、上記した従来緩衝器にあっては、機能上問題があるわけではないが、以下の弊害がある。
【０００８】
この種緩衝器にあっては、ピストン変位、すなわち、所定のストローク範囲で発生減衰力を変化させるようにしていることから、適用する車両、機器、構造物に緩衝器を取付けた際、丁度ピストン中立位置がシリンダの中央に配置される取付長（以下、「基準取付長」という）となるように設定する必要がある。
【０００９】
つまり、緩衝器の取付長が基準取付長とならないと、緩衝器を取付けた際のピストンの中立位置がシリンダに対し左右にぶれてしまうことになり、上記ストローク範囲が左右にぶれてしまうことになる。
【００１０】
そうすると、たとえば、緩衝器が低減衰力を発生しなくてはならない場面にあっても、上記ぶれによってバイパス路を形成できず低減衰力を発生できなくなったり、逆に、所定のストローク範囲でないのにバイパス路の形成がされてしまったりといった事が起こりえることになる。
【００１１】
したがって、従来緩衝器にあっては、上述の通り、厳密な取付長の管理が必要となるが、車両等の取付部位には、寸法公差等がある場合があり、設定通りの取付長の実現が困難である場合もあり、その取付部位への取付作業が非常に煩雑となる危惧がある。
【００１２】
また、特に緩衝器の両端にボールジョイントを備え、ボールジョイントの球体に対しシリンダもしくはロッドを回転させることでボールジョイント間の距離を微調整可能なものもあるが、特に、構造物の制振や免震用途に使用される緩衝器にあっては緩衝器自体が大型で、搭載スペースも狭いことから、緩衝器を取付部位に取付けたまま上記微調整を行うことができず、一旦緩衝器を取付部位に仮止めして、取付長を計測し、その後、緩衝器を取付部位から取り外して、上記微調整を行って、再び取付部位に緩衝器を取付けるといった作業が行われているのが実情であり、緩衝器の取付作業が非常に不便であった。
【００１３】
そこで、本発明は上記弊害を改善するために創案されたものであって、その目的とするところは、位置依存型の緩衝器にあってもその取付作業を容易ならしめることである。
【課題を解決するための手段】
【００１４】
上記した目的を達成するために、シリンダと、シリンダ内に摺動自在に挿入されるピストンと、シリンダ内に上記ピストンで区画した２つの圧力室と、ピストンに連結されたロッドとを備え、所定のストローク範囲内で減衰力を変化させる緩衝器において、２つの圧力室を連通する通路と、通路の途中に設けた少なくとも通路を遮断する遮断ポジションと通路を開放する連通ポジションとを備えた切換弁と、ピストン変位を検出する変位検出手段とを備え、上記切換弁は、ピストン変位に基づいて切換制御されることを特徴とする。
【発明の効果】
【００１５】
本発明によれば、ピストンの中立位置を検出し所定のストローク範囲を自由に設定することが可能であるから、取付長が基準取付長とならなくとも、すなわち、ピストン中立位置が緩衝器を取付部位に取付けた際にシリンダの中央からずれた位置となっても、所定のストローク範囲を、取付長が基準取付長である場合と同様に設定することができる。
【００１６】
したがって、本発明にあっては、取付長を厳密に基準取付長となるようにしなくてはならない従来緩衝器に比較して、取付部位への緩衝器の取付作業を、飛躍的に簡易および容易ならしめることができるのである。
【００１７】
また、特に、緩衝器が大型な場合や、搭載スペースが狭い場合にあっても、緩衝器を取付部位に取付けるのみで取付作業を完結することができ、従来必要であった取付長の調整作業も廃することができることになる。
【００１８】
さらに、緩衝器の取付作業時に緩衝器を一旦圧縮した状態に維持しておかなければならない場面にあっても、切換弁の切換によって減衰力を低くするようにしておけば、圧縮状態の維持が非常に楽になるので、この点でも取付作業を容易にすることが可能である。
【発明を実施するための最良の形態】
【００１９】
以下に、図示した一実施の形態に基づいて、この発明を説明する。図１は、第１の実施の形態における緩衝器の断面図である。図２は、第１の実施の形態における緩衝器の減衰特性を示す図である。図３は、第２の実施の形態における緩衝器の縦断面図である。図４は、第３の実施の形態における緩衝器の縦断面図である。
【００２０】
第１の実施の形態における緩衝器Ｄ１は、図１に示すように、シリンダ１と、シリンダ１内に摺動自在に挿入されたピストン２と、ピストン２に連結されたロッド３と、シリンダ１内にピストン２で区画された２つの圧力室Ｒ１，Ｒ２と、２つの圧力室Ｒ１，Ｒ２を連通する通路１０と、通路１０の途中に設けた切換弁２０と、ピストン変位を検出する変位検出手段たる変位センサ３０を備えており、いわゆる両ロッド型の緩衝器として構成され、図示するところでは、この緩衝器Ｄ１は、構造物の制振装置に具現化されている。
【００２１】
以下、詳細に説明すると、シリンダ１は筒状に形成され、また、シリンダ１内にピストン２により区画された各圧力室Ｒ１，Ｒ２内には、作動油等の液体が充填されている。
【００２２】
また、ピストン２には、各圧力室Ｒ１，Ｒ２を連通する流路４，５が設けられており、さらに、この流路４の途中には、液体の圧力室Ｒ２から圧力室Ｒ１へ通過を阻止し圧力室Ｒ１から圧力室Ｒ２へ通過を許容しつつ液体の流れに抵抗を与える減衰バルブ６が、流路５の途中には、液体の圧力室Ｒ１から圧力室Ｒ２へ通過を阻止し圧力室Ｒ２から圧力室Ｒ１へ通過を許容しつつ液体の流れに抵抗を与える減衰バルブ７が夫々設けられている。
【００２３】
この減衰バルブ６は、バネ（付示せず）で閉じ方向に附勢された常閉型の減衰バルブであって、流路４の上流側の圧力をパイロット圧としており、パイロット圧が所定の圧力（クラッキング圧）以上になると、このパイロット圧により弁体（図示せず）に作用する推力が上記バネ力に打ち勝って開くことができるものであり、減衰バルブ６が開くときのクラッキング圧は、任意に設定される。
【００２４】
なお、減衰バルブ７については、減衰バルブ６と同様の構成であるので、その説明を省略することとする。
【００２５】
また、シリンダ１の図１中左端には、筒８が連設され、この筒８の左端には、ボールジョイントＢ１が連結され、シリンダ１は、このボールジョイントＢ１を介して構造物の柱や梁である取付部位Ａ１に取付けられる。
【００２６】
他方、ロッド３の図１中右端にも、上述した筒８に連結されているものと同様のボールジョイントＢ２が設けられており、ロッド３は、このボールジョイントＢ２を介して構造物の柱や梁である取付部位Ａ２に取付けられる。
【００２７】
なお、筒８には、その内外を連通する孔（図示せず）が穿設されており、ロッド３が筒８へ進退する際に、上記孔を介して外気が筒８に流入もしくは排出されるのでロッド３の進退を妨げられない。
【００２８】
転じて、一方の圧力室Ｒ１と他方の圧力室Ｒ２は、通路１０を介して連通されており、この通路１０の途中には、切換弁２０が設けられている。
【００２９】
そして、切換弁２０は、通路１０を遮断する遮断ポジション２１と、通路１０を連通する連通ポジション２２と、一端側に設けたバネ２３と、他端側にバネ２３に対向して設けたソレノイド２４とを備え、ソレノイド２４が励磁されないとバネ２３のバネ力で附勢されて遮断ポジション２１を採り、ソレノイド２４が励磁されるとソレノイド２４の推力によって連通ポジション２２を採るように設定されている。
【００３０】
なお、連通ポジション２２は、絞りを備えており、通路１０を連通するとともに減衰力発生要素としても機能する。
【００３１】
そして、このソレノイド２４は、図示しない制御装置に接続され、制御装置が出力する制御信号である制御電流によって励磁される。
【００３２】
また、シリンダ１の側部には、変位検出手段たる変位センサ３０が設けられており、この変位センサ３０は、取付部位Ａ２に対するシリンダ１の変位を検出することで、ピストン２のシリンダ１に対する変位を検出できるようになっている。
【００３３】
この変位センサ３０としては、ピストン２のシリンダ１に対する変位を検出できるものであれば使用可能である。
【００３４】
そして、変位センサ３０はピストン２の変位を電圧信号として出力するが、この電圧信号は、上述の制御装置に入力され、制御装置は、電圧信号によってピストン２の変位を把握し、ソレノイド２４を制御できるようにしてある。
【００３５】
なお、制御装置は、変位センサ３０からの出力から所定の制御手順によってソレノイド２４を駆動することができるものであればよく、具体的にたとえば、制御手順等が格納される記憶装置と、制御手順に従って演算処理を実行する演算装置と、これらを結ぶバスラインと、インターフェース回路およびソレノイド２４を駆動する駆動回路等を備えて構成されている。
【００３６】
つづいて、上述のように構成された緩衝器Ｄ１の作用について説明する。上記緩衝器Ｄ１は、上記したように取付部位Ａ１，Ａ２間に介装されるが、この取付部位Ａ１，Ａ２間の間隔が緩衝器Ｄ１を取付けた際にピストン２がシリンダ１に対し中央に配置されないような場合を想定する。
【００３７】
たとえば、緩衝器Ｄ１の基準取付長より取付部位Ａ１，Ａ２間の間隔が狭い場合、緩衝器Ｄ１と取付けた際にピストン２中立位置がシリンダ１に対し図１中左よりになる。
【００３８】
この場合、変位センサ３０は、緩衝器Ｄ１が取付部位Ａ１，Ａ２間に取付けられた状態でピストン２が図１中左に変位していることを検出して、その結果である電圧信号が制御装置に入力される。
【００３９】
なお、制御装置には、あらかじめ、ピストン２がシリンダ１の中央に位置しているときの電圧信号の値が基準値として制御装置の記憶装置に格納されており、制御装置は、この基準値と、取付部位Ａ１，Ａ２間に緩衝器Ｄ１を取付けたときに変位センサ３０が出力する電圧信号の値とを比較して、ピストン２の中立位置がシリンダ１の中央からどの程度変位しているかを把握し、この変位分を補正値として記憶装置に格納する。
【００４０】
また、制御装置の記憶装置には、上記基準値に補正値を加えた中立位置を基準としてピストン２の変位が所定のストローク範囲内になるとき、たとえば、ピストン２の変位が中立位置より左側に距離Ｈ１以上変位したとき、および、ピストン２の変位が中立位置より右側に距離Ｈ２以上変位したときに、切換弁２０を連通ポジション２２に切換えるべく、ソレノイド２４を励磁する制御手順がプログラムとして格納されている。
【００４１】
そして、たとえば、ピストン２がシリンダ１に対し図１中左へ移動すると、減衰バルブ６が開いて液体が流路４を通過して圧力室Ｒ１から圧力室Ｒ２へ移動し、緩衝器Ｄ１は、液体が減衰バルブ６通過する時に生じる圧力損失に見合った減衰力を発生することになる。
【００４２】
ピストン２がさらに移動しつづけて、その変位が上記中立位置から距離Ｈ１以上となると、制御装置がソレノイド２４を励磁して切換弁２０を連通ポジション２２に切換え、一方の圧力室Ｒ１と他方の圧力室Ｒ２は通路１０をも介して連通するようになる。
【００４３】
したがって、圧力室Ｒ１内の液体は、流路４のみならず通路１０をも介して圧力室Ｒ２内へ移動するようになるので、ピストン２の変位が距離Ｈ１以下であるときよりも緩衝器Ｄ１の発生する減衰力は低くなる。
【００４４】
さらに、ピストン２が上記所定のストローク範囲内まで変位、具体的には中立位置から距離Ｈ１以上左に変位してから、ピストン２が逆に図１中右方へ移動すると、制御装置は、切換弁２０を遮断ポジション２１に切換えるように制御する。
【００４５】
したがって、液体は、流路５のみを介して圧力室Ｒ２から圧力室Ｒ１内に流入し、減衰バルブ７を通過することになるので、ピストン２が左へ変位した後に右側へ変位する場合には、高減衰力を発生することになる。
【００４６】
他方、ピストン２がシリンダ１に対し図１中右へ移動すると、減衰バルブ７が開いて液体が流路５を通過して圧力室Ｒ２から圧力室Ｒ１へ移動する。
【００４７】
このとき、緩衝器Ｄ１は、液体が減衰バルブ７通過する時に生じる圧力損失に見合った減衰力を発生することになる。
【００４８】
そして、ピストン２がさらに移動しつづけて、中立位置から距離Ｈ２以上に変位すると、制御装置は切換弁２０を連通ポジション２２に切換えて、他方の圧力室Ｒ２と一方の圧力室Ｒ１とを連通する。
【００４９】
したがって、圧力室Ｒ２内の液体は、流路５のみならず通路１０をも介して圧力室Ｒ１内へ移動するようになるので、ピストン２の変位が距離Ｈ２以下であるときよりも緩衝器Ｄ１の発生する減衰力は低くなる。
【００５０】
さらに、ピストン２が上記所定のストローク範囲内まで変位、具体的には中立位置から距離Ｈ２以上右に変位してから、ピストン２が逆に図１中左方へ移動すると、制御装置は、切換弁２０を遮断ポジション２１に切換えるように制御する。
【００５１】
したがって、液体は、流路４のみを介して圧力室Ｒ１から圧力室Ｒ２内に流入し、減衰バルブ６を通過することになるので、ピストン２が右へ変位した後に左側へ変位する場合には、高減衰力を発生することになり、緩衝器の左右への作動を一巡すると、この緩衝器Ｄ１の減衰特性は、図２に示すようなヒステリシスループを描くことになり、この緩衝器Ｄ１は、ピストン変位に依存した減衰特性を有した、いわゆる、位置依存型の緩衝器として機能する。
【００５２】
さらに、上記距離Ｈ１および距離Ｈ２の設定を任意に変化させることが可能であるので、所定のストローク範囲を調節することが可能であり、緩衝器Ｄ１の左右の作動時に発生する減衰特性を異ならしめることも可能となる。
【００５３】
無論、距離Ｈ１と距離Ｈ２とを同じになるように設定しておけば、緩衝器Ｄ１の左右の作動時に発生する減衰特性を同じにできるし、また、上記した場合では、ピストン２が所定のストローク範囲内に変位した後に逆方向に変位する場合には、切換弁２０を遮断ポジション２１に切換えているが、連通ポジション２２に維持しておくことも可能である。
【００５４】
つまり、この緩衝器Ｄ１にあっては、ピストン２の中立位置を検出し所定のストローク範囲を自由に設定することが可能であるから、取付長が基準取付長とならなくとも、すなわち、ピストン中立位置が緩衝器Ｄ１を取付部位Ａ１，Ａ２に取付けた際にシリンダ１の中央からずれた位置となっても、所定のストローク範囲を、取付長が基準取付長である場合と同様に設定することができる。
【００５５】
したがって、本発明にあっては、取付長を厳密に基準取付長となるようにしなくてはならない従来緩衝器に比較して、取付部位Ａ１，Ａ２への緩衝器Ｄ１の取付作業を、飛躍的に簡易および容易ならしめることができるのである。
【００５６】
また、特に、緩衝器が大型な場合や、搭載スペースが狭い場合にあっても、緩衝器を取付部位に取付けるのみで取付作業を完結することができ、従来必要であった取付長の調整作業も廃することができることになる。
【００５７】
さらに、緩衝器の取付作業時に緩衝器を一旦圧縮した状態に維持しておかなければならない場面にあっても、切換弁の切換によって減衰力を低くするようにしておけば、圧縮状態の維持が非常に楽になるので、この点でも取付作業を容易にすることが可能である。
【００５８】
また、所定のストローク範囲の設定もハードウェアの変更を伴わずに可能であるため簡単な作業をするのみで足り、さらに、設定の変更もわざわざ緩衝器Ｄ１を取り外して行う必要がないのでその作業性もよい。
【００５９】
なお、上記切換弁２０では、連通ポジション２２において減衰力発生要素として機能できるように絞りを備えているが、連通ポジション２２では単に通路１０を連通するのみとして減衰力発生要素を通路１０の途中のどこかに設けるとしておいてもよい。
【００６０】
つづいて、図３に示した第２の実施の形態における緩衝器Ｄ２について説明する。なお、上記した実施の形態の緩衝器Ｄ１における部材と同様の部材には同一の符号を付するのみとして、以下、その詳しい説明を省略し、主として第２の実施の形態における緩衝器Ｄ２の第１の実施の形態における緩衝器Ｄ１と異なる部分について説明することとする。
【００６１】
この緩衝器Ｄ２が緩衝器Ｄ１に対して異なるのは、切換弁４０の構成である。
【００６２】
この異なるところの切換弁４０は、通路１０を遮断する遮断ポジション４１と、一方の圧力室Ｒ１から他方の圧力室Ｒ２への流れのみを許容する第１連通ポジション４２と、他方の圧力室Ｒ２から一方の圧力室Ｒ１への流れのみを許容する第２連通ポジション４３と、両端側に対向させて設けられる一対のバネ４４，４５と、同じく両端側に対向させて一対のソレノイド４６，４７とを備えて構成されている。
【００６３】
そして、この切換弁４０は、ソレノイド４６，４７が励磁されない状態では、バネ４４，４５の附勢力により中立位置を保って遮断ポジション４１をとし、他方、ソレノイド４６が励磁された状態では、第１連通ポジション４２を採り、ソレノイド４７が励磁された状態では、第２連通ポジション４３を採るように設定されている。
【００６４】
なお、連通ポジション４２，４３は、それぞれ逆止弁および絞りを備えており、通路１０を通過する液体の流れを一方通行とするとともに減衰力発生要素としても機能する。
【００６５】
そして、このソレノイド４６，４７は、第１の実施の形態と同様に、図示しない制御装置に接続され、制御装置が出力する制御信号である制御電流によって励磁される。
【００６６】
したがって、この緩衝器Ｄ２にあっても、緩衝器Ｄ２取付時の変位センサ３０の出力からピストン２の中立位置を把握することができ、所定のストローク範囲を自由に設定することができるから、取付長が基準取付長とならなくとも、すなわち、ピストン中立位置が緩衝器Ｄ２を取付部位Ａ１，Ａ２に取付けた際にシリンダ１の中央からずれた位置となっても、所定のストローク範囲を、取付長が基準取付長である場合と同様に設定することができる。
【００６７】
また、上述のように切換弁４０を構成することで、この第２の実施の形態における緩衝器Ｄ２は、ピストン２が中立位置から所定のストローク範囲内まで変位した後に逆方向に変位するときに、切換弁４０を遮断ポジション４１に切換せずとも、夫々の連通ポジション４２，４３における逆止弁により液体が逆方向に流れることが阻止されるので、高い減衰力を発生することができる。
【００６８】
すなわち、この第２の実施の形態における緩衝器Ｄ２にあっては、第１の実施の形態の緩衝器Ｄ１と同様の作用効果を奏するだけでなく、ピストン２が中立位置から所定のストローク範囲内まで変位した後に逆方向に変位するときに高い減衰力を発生させたい場合に、切換弁４０を切換制御してやる手間が省けることになり、これにより、制御応答性が向上するとともに、切換弁の頻繁な切換制御が不要となるので切換弁の制御が容易となる。
【００６９】
さらに、図４に示した第３の実施の形態における緩衝器Ｄ３について説明する。この緩衝器Ｄ３が緩衝器Ｄ１に対して異なるのは、切換弁５０の構成および通路１０の他に２つの圧力室Ｒ１，Ｒ２を連通する副通路１１を設けた点である。
【００７０】
そして、副通路１１の途中には、互いに対向する一対の逆止弁１２，１３が設けられている。
【００７１】
さらに、切換弁５０は、通路１０および副通路１１の途中に設けられた４ポート３位置電磁式切換弁であって、通路１０および副通路１１を遮断する遮断ポジション５１と、通路１０の一方の圧力室Ｒ１側と副通路１１の他方の圧力室Ｒ２側とを連通する連通ポジション５２と、通路１０の他方の圧力室Ｒ２側と副通路１１の一方の圧力室Ｒ１側とを連通する連通ポジション５３と、両端側に対向させて設けられる一対のバネ５４，５５と、同じく両端側に対向させて一対のソレノイド５６，５７とを備えてこうせいされている。
【００７２】
そして、この切換弁５０は、ソレノイド５６，５７が励磁されない状態では、バネ５４，５５の附勢力により中立位置を保って遮断ポジション５１をとし、他方、ソレノイド５６が励磁された状態では、連通ポジション５２を採り、ソレノイド５７が励磁された状態では、連通ポジション５３を採るように設定されている。
【００７３】
なお、連通ポジション５２，５３は、それぞれ絞りを備えており、減衰力発生要素としても機能する。
【００７４】
そして、このソレノイド５６，５７は、第１の実施の形態と同様に、図示しない制御装置に接続され、制御装置が出力する制御信号である制御電流によって励磁される。
【００７５】
したがって、この緩衝器Ｄ３にあっても、緩衝器Ｄ３取付時の変位センサ３０の出力からピストン２の中立位置を把握することができ、所定のストローク範囲を自由に設定することができるから、取付長が基準取付長とならなくとも、すなわち、ピストン中立位置が緩衝器Ｄ３を取付部位Ａ１，Ａ２に取付けた際にシリンダ１の中央からずれた位置となっても、所定のストローク範囲を、取付長が基準取付長である場合と同様に設定することができる。
【００７６】
また、上述のように切換弁５０を構成し、副通路１１および逆止弁１２，１３を設けたことで、この第３の実施の形態における緩衝器Ｄ３は、ピストン２が中立位置から所定のストローク範囲内まで変位した後に逆方向に変位するときに、切換弁５０を遮断ポジション５１に切換せずとも、夫々の連通ポジション５２，５３に維持したままでの、逆止弁１２，１３により液体が逆方向に流れることが阻止されるので、液体は通路１０および副通路１１を通過しえず高い減衰力を発生することができる。
【００７７】
すなわち、この第３の実施の形態における緩衝器Ｄ３にあっては、第２の実施の形態の緩衝器Ｄ２と同様の作用効果を奏する、すなわち、第１の実施の形態と同様の作用効果を奏するだけでなく、ピストン２が中立位置から所定のストローク範囲内まで変位した後に逆方向に変位するときに高い減衰力を発生させたい場合に、切換弁５０を切換制御してやる手間が省けることになり、これにより、制御応答性が向上するとともに、切換弁の頻繁な切換制御が不要となるので切換弁の制御が容易となる。
【００７８】
なお、本実施の形態においては、緩衝器が制振装置として使用される場面を想定して説明しているが、本発明の緩衝器は、構造物以外に車両、機器等に使用可能であることは当然である。
【００７９】
以上で、本発明の実施の形態についての説明を終えるが、本発明の範囲は図示されまたは説明された詳細そのものには限定されないことは勿論である。
【図面の簡単な説明】
【００８０】
【図１】第１の実施の形態における緩衝器の断面図である。
【図２】第１の実施の形態における緩衝器の減衰特性を示す図である。
【図３】第２の実施の形態の変形例における緩衝器の縦断面図である。
【図４】第３の実施の形態における緩衝器の縦断面図である。
【符号の説明】
【００８１】
１  シリンダ
２  ピストン
３  ロッド
４，５  流路
６，７  減衰バルブ
８  筒
１０  通路ハウジング
１１  副通路
１２，１３  逆止弁
２０，４０，５０  切換弁
２１，４１，５１  遮断ポジション
２２，５２，５３  連通ポジション
２３，４４，４５，５４，５５  バネ
２４、４６，４７，５６，５７  ソレノイド
３０  変位センサ
４２  第１連通ポジション
４３  第２連通ポジション
Ａ１，Ａ２  取付部位
Ｂ１，Ｂ２  ボールジョイント
Ｄ１，Ｄ２，Ｄ３  緩衝器
Ｒ１，Ｒ２  圧力室
【図１】
2006161844.tif 000003
【図２】
2006161844.tif 000004
【図３】
2006161844.tif 000005
【図４】
2006161844.tif 000006